(57)【要約】【課題】シャッター装置に施錠具を設けるにあたり、施錠具が取付けられるスラットを専用のものにすることなく、しかも、ガイドレールのガイド溝深さを変えることがないように構成する。【解決手段】シャッターカーテン１を構成するスラット２に、スラット２の左右両端部から突出しないよう配される施錠具８を、スラット２の屋内側面に固定されるケース体９と、該ケース体９に内方側部位が出没自在に設けられ、コイル弾機１１ａの付勢力を受けて屋内側に突出する施錠姿勢からケース体９に没入し係止具７との係止解除をする解錠姿勢に変姿可能な規制体１０と、スラット２の幅方向中央側への変位で規制体１０をコイル弾機１１ａに抗して施錠姿勢から解錠姿勢に変姿せしめる作動体１５とを備えて構成する。【選択図】　　　　図３
2004068541.tif 000002
【特許請求の範囲】
【請求項１】
開口部を開閉する開閉体の側部に設けた施錠具と、開閉体側縁部の移動案内をするガイドレールのガイド溝に設けた係止具とを備えた自動施錠装置であって、該自動施錠装置の係止具を、ガイド溝の屋内側面に固定する一方、施錠具を、開閉体の屋内側面に固定されるケース体と、該ケース体に出没自在に設けられ、弾機の付勢力を受けて屋内側に突出する施錠姿勢からケース体に没入し係止具との係止解除をする解錠姿勢に変姿可能な規制体と、開閉体幅方向中央側への変位で規制体を弾機に抗して施錠姿勢から解錠姿勢に変姿せしめる作動体とを備えて構成した建築用開閉装置における自動施錠装置。
【請求項２】
請求項１において、係止具と施錠具との係止は、開閉体側部の屋内側部位でなされるように構成されている建築用開閉装置における自動施錠装置。
【請求項３】
請求項１または２において、規制体の突出量を、施錠具取付け部位における開閉体の屋内外方向の厚さが、ガイド溝の開口幅より大きく、ガイド溝の溝幅より小さくなるように設定し、規制体をガイド溝からの抜止め部材に兼用した建築用開閉装置における自動施錠装置。
【請求項４】
請求項１、２または３において、規制体は、ガイド溝の溝底側部位がケース体に対して屋内外方向揺動自在に枢支され、ガイド溝の開口側部位がケース体から出没するように構成されている建築用開閉装置における自動施錠装置。
【請求項５】
請求項１、２、３または４において、作動体と規制体とのあいだにはリンク体が連結され、該リンク体を、作動体の開閉体幅方向への変位に基づいて起倒変位させることにより、規制体が姿勢変姿するように構成されている建築用開閉装置における自動施錠装置。
【請求項６】
請求項１、２、３、４または５において、係止具と施錠具との係止は、ガイドレールの開閉方向中間部位でなされる構成となっている建築用開閉装置における自動施錠装置。
【発明の詳細な説明】
【０００１】
【発明の属する技術分野】
本発明は、住宅やビル棟の建築物の開口部に建付けられる建築用開閉装置における自動施錠装置の技術分野に属するものである。
【０００２】
【従来の技術】
一般に、この種建築用開閉装置においては、これが例えば住宅の窓部に設けられた窓シャッターである場合、窓（開口部）を開閉するシャッターカーテン（開閉体）の側部に施錠具を設ける一方、シャッターカーテンの左右両側部の移動案内をするべく窓部の両側に設けた一対のガイドレールのガイド溝に係止具を設けて、シャッターカーテンを閉鎖して全閉姿勢になることにタイミングを合せて、シャッターカーテンの施錠具を、躯体側であるガイドレールの係止具に係止させることにより施錠して、シャッターカーテンを開放されないようにしている。ところで、このような窓シャッターに施錠装置を設ける場合、係止具と施錠具とを、シャッターカーテンの全閉に伴い自動的に施錠するように構成する一方、ガイドレールの上下方向中間部位置において係止するように構成し、係止具と施錠具との係止解除である解錠操作を容易に行えるようにしている。
このようなものとしては、特開平１１−８１８４０号公報のような自動施錠装置が提案されており、このものは、ガイドレールのガイド溝を構成する屋内側片に係止孔を開設する一方、シャッターカーテンの係止孔対向部位に位置するスラットの端部に、上端部が屋内外方向に揺動する規制体（施錠具）を設けるとともに、規制体を係止孔側（屋内側）に向けて付勢する弾機を設けて構成し、規制体が弾機の付勢力を受けて係止孔に没入することにより施錠がなされる構成となっている。しかるに、このものにおいて、規制体はガイドレールの係止孔に没入する構成であるが故に、予め弾機の付勢力を受けた状態でガイドレールの側面に押圧されている。このため、シャッターカーテンの開閉作動の過程で、規制体もガイドレール側面に摺動することになって、異音の発生や、早期の摩耗等の問題がある。
これに対し、例えば特開平１１−１５２９７５号公報のような自動施錠装置が提案されている。このものは、ガイドレールを構成するガイド溝の屋内側片にガイド面付きの係止具を設ける一方、シャッターカーテンの係止具配設部位に対向するスラットに、左右方向に伸長する左右の両端部が屋内外方向に揺動するよう支持された規制バー（施錠具）と、該規制バー両端部の規制体を係止具側（屋内側）に向けて付勢する弾機とを設け、シャッターカーテンの全閉に伴い弾機の付勢力に抗して係止具のガイド面を乗り越えて解錠姿勢となった後、施錠姿勢になって係止具に係止して施錠するように構成されている。そして、このものでは、前者の自動施錠装置のように、施錠姿勢の施錠具がガイドレールの側面に摺動するような不具合がないようにしている。
【０００３】
【発明が解決しようとする課題】
しかるに、前記前者および後者の自動施錠装置において、規制体を解錠姿勢とするための操作は、それぞれの解錠操作具（前者のものでは規制体に連結された作動体、後者のものでは規制バーの中央部）を、スラットに対して屋内外方向に揺動させる構成となっている。このため、規制体と解錠操作具とが配設されるスラットには揺動支点となる部位が必要となるため、これら従来のものでは、予め他のスラットとは別の特別な形状なものを用意し、このものに各部材を組込むようにしている。このため、シャッターカーテンを製作する段階で作業工程数が増加して作業性が劣るばかりでなく、コスト高になってしまう等の問題があり、ここに本発明が解決しようとする課題があった。
さらに、後者のものでは、係止具と係止する規制バー両端部の規制体は、シャッターカーテンの左右両端部よりも左右方向外方側の部位に突出して形成されており、規制体は、シャッターカーテンの屋内外方向板厚を横切るような揺動作動を行うことで、係止具との係止解除がなされる構成となっている。このため、係止具は、ガイドレールの、シャッターカーテン側部を嵌合して移動案内する部位よりもさらに溝奥側において配設されることになり、その分、ガイドレールのガイド溝深さを深く（左右幅を長く）しなければならないという問題があり、ここにも本発明が解決しようとする課題があった。
【０００４】
【課題を解決するための手段】
本発明は、上記の如き実情に鑑み、これらの課題を解決することを目的として創作されたものであって、開口部を開閉する開閉体の側部に設けた施錠具と、開閉体側縁部の移動案内をするガイドレールのガイド溝に設けた係止具とを備えた自動施錠装置であって、該自動施錠装置の係止具を、ガイド溝の屋内側面に固定する一方、施錠具を、開閉体の屋内側面に固定されるケース体と、該ケース体に出没自在に設けられ、弾機の付勢力を受けて屋内側に突出する施錠姿勢からケース体に没入し係止具との係止解除をする解錠姿勢に変姿可能な規制体と、開閉体幅方向中央側への変位で規制体を弾機に抗して施錠姿勢から解錠姿勢に変姿せしめる作動体とを備えて構成したものである。
そして、このようにすることにより、施錠具の規制体を解錠姿勢にするための作動体は、開閉体幅方向に作動させる構成となって、施錠具を取付ける部位のシャッターカーテン形状を特別な形状にする必要がなくなる。
このものにおいて、本発明の係止具と施錠具との係止は、開閉体側部の屋内側部位でなされるように構成されているものとすることができ、このようにすることによって、ガイドレールのガイド溝深さを、係止具を設けるスペースとして深くする必要がなくなって、シャッターカーテンの嵌合量を考慮して設定することができる。
さらに、このものにおいて、本発明の規制体の突出量を、施錠具取付け部位における開閉体の屋内外方向の厚さが、ガイド溝の開口幅より大きく、ガイド溝の溝幅より小さくなるように設定し、規制体をガイド溝からの抜止め部材に兼用したものとすることができ、これによって、規制体がガイドレールを擦ってしまうような不具合がないうえ、ガイドレールからの抜止めを施錠具が移動する全域において実施することができる。
また、このものにおいて、本発明の規制体は、ガイド溝の溝底側部位がケース体に対して屋内外方向揺動自在に枢支され、ガイド溝の開口側部位がケース体から出没するように構成されているものとすることができ、規制体による抜止めは、規制体がガイドレールの開口側縁部に係合することで行うことができる。
さらにまた、このものにおいて、本発明の作動体と規制体とのあいだにはリンク体が連結され、該リンク体を、作動体の開閉体幅方向への変位に基づいて起倒変位させることにより、規制体が姿勢変姿するように構成されているものとすることができる。
また、このものにおいて、本発明の係止具と施錠具との係止は、ガイドレールの開閉方向中間部位でなされる構成となっているものとすることができ、解錠操作の操作性が良いものにできる。
【０００５】
【発明の実施の形態】
次に、本発明の第一の実施の形態を図１〜図９の図面に基づいて説明する。
図面において、１は住宅の掃出し窓の屋外側に取付けられるシャッター装置（窓シャッター）のシャッターカーテンであって、該シャッターカーテン１は、左右方向に長いスラット２を上下方向に複数連綴することにより構成され、最下端には座板１ａが連結されたものに構成されている。前記シャッターカーテン１の上端部は、躯体開口部上方に設けられたシャッターケース３に回動自在に軸承された巻取りドラム４に連結されている。また、開口部の左右両側部には左右一対のガイドレール５が配設されており、シャッターカーテン１の左右両側部がそれぞれ遊嵌状に内嵌され、シャッターカーテン１の開閉移動をガイド（案内）するように設定されている。そして、シャッターカーテン１は、巻取りドラム４の回転に伴い、巻取りドラム４に巻取られて開口部の開放をする全開姿勢と、巻取りドラム４から巻出されて開口部の閉鎖をする全閉姿勢とのあいだを開閉移動するように設定されている。
【０００６】
ここで、本実施の形態のシャッター装置は手動式に構成されており、巻取りドラム４は、シャッターケース３の両側板３ａに固定される固定軸４ａと該固定軸４ａに回動自在に外嵌するドラム４ｂと、固定軸４ａとドラム４ｂとのあいだに介装されたバランス弾機（図示せず）とを備えて構成されている。そして、シャッターカーテン１が閉鎖作動をすることに伴い、バランス弾機は巻出されたシャッターカーテン１の自重とバランスする巻取り方向への蓄勢力（付勢力）を蓄勢するが、このものでは、シャッターカーテン１の全閉姿勢において、シャッターカーテン１の自重を上回る蓄勢力が蓄勢されるように設定されており、これによって、全閉姿勢のシャッターカーテン１は、所謂上り勝手になるように構成されている。
また、シャッター装置の屋内側には左右一対の引き戸式のガラス戸６が設けられている。
【０００７】
さて、前記左右一対のガイドレール５は、シャッターカーテン１の左右側縁部を内嵌するガイド溝５ａを構成する屋内外一対の側片部５ｂ、５ｃと、これら側片部５ｂ、５ｃの左右方向外方縁部を連結する状態の溝底片部５ｄとを備えて個断面略コ字形状に形成されている。そして、屋内外側片部５ｂ、５ｃの開口側の端部には、互いに対向する側に向けて突出形成されたガイド片５ｅ、５ｆがそれぞれ形成されているが、これらガイド片５ｅ、５ｆは、それぞれモヘヤ等の傷付き防止部材が嵌入するポケット形状に形成されていて、シャッターカーテン１の保護が計れるように構成されている。
さらに、ガイドレール５の上下方向中間部に位置する屋内側片部５ｂには、自動施錠装置Ｒを構成する係止具（錠受け具）７が一体的に設けられている。前記係止具７は、側面視で上下方向中間部に位置する凹部７ａが形成されるべく、屋外側に突出する上下一対の段差片部７ｂ、７ｃを備えて形成されており、前記凹部７ａが、後述するようにシャッターカーテン１側に配された施錠具８に対し、シャッターカーテン１の全閉姿勢で丁度対向する部位に位置する位置関係となるように配設され、該凹部７ａに施錠具８が係止することでシャッターカーテン１の上下方向の移動規制がなされて、シャッターカーテン１の施錠をするように設定されている。また、前記係止具段差片部７ｂ、７ｃの上下には、先端側がガイドレール屋内側片部５ｂに沿うように傾斜した上下のガイド片部７ｄ、７ｅが一体に形成されており、これら上下のガイド片部７ｄ、７ｅの先端部が、ガイドレール屋内側片部５ｂに螺子止め固定されている。
【０００８】
ところで、シャッターカーテン１を構成するスラット２は、上下縁部に、隣接するスラット２とインターロック結合するための連結部２ａ、２ｂがカール状に折曲形成されており、中間部に本体部２ｃが平板状に形成されたものに構成されている。そして、シャッターカーテン１の上下方向中間部に位置するスラット２、即ち、シャッターカーテン１の全閉姿勢で前記係止具７に対向するスラット２の左右両端部であるガイドレール５のガイド溝５ａ内嵌部位（左右方向両側縁部）の屋内側面に位置して、一対の施錠具８がそれぞれ固定されている。
尚、スラット２に配される一対の施錠具８は、それぞれ線対称の関係で設けられており、構成は何れも同様であるので、本実施例では、図１において、図面向かって右側に配設された施錠具８についての詳細な説明をする。
【０００９】
前記施錠具８は、スラット２の左右両側部（左右両端縁部）に沿って配されるケース体９を備えて構成されるが、該ケース体９は、スラット本体部２ｃにあてがわれ、リベット止め等による固定手段により固定される固定片９ａと、これら固定片９ａの上下の縁部から屋内側に向けて突出する上下一対の脚片９ｂとを備えて構成されている。尚、上下一対の脚片９ｂは固定片９ａよりも左右方向内方（開口部側）に突出する状態で形成されているが、ガイドレール５に組込まれた状態で、各脚片９ｂの内方端部は、ガイド溝５ａの開口よりは溝底側に位置するように設定されている。そして、前記各脚片９ｂには、左右方向外方側部位（右端側部位であって、ガイド溝５ａの溝底対向側部位）に位置して真円状の取付け孔９ｃが穿設される一方、内方側部位（左端側部位であって、ガイド溝５ａの溝開口対向側部位）に位置して左右方向に長い長孔９ｄがそれぞれ穿設されている。
【００１０】
１０は、前記係止具７に係止するべくケース体９に対して出没作動する規制体であって、該規制体１０は、ケース体固定片９ａと屋内外方向に所定間隙を存して対向する連結片１０ａと、これら連結片１０ａの上下縁部から、屋外側方向に突出し、ケース体脚片９ｂの内側に沿って屋内外方向移動自在に配される側片１０ｂとを備えて矩形状に形成されている。そして、各側片１０ｂの外方側部位には、前記ケース体脚片９ｂの取付け孔９ｃに連通する第一取付け孔１０ｃが穿設されており、また、側片１０ｂの内方側部位には第二取付け孔１０ｄが穿設されている。そして、ケース体９と規制体１０とは、外方側部位のケース体取付け孔９ｃと規制体第一取付け孔１０ｃとを挿通する第一枢支ピン１１を介して揺動自在に連結されており、これによって、規制体１０は、第一枢支ピン１１を支点として、ガイドレール５の開口側部位である内方側部位が屋内外方向に揺動変姿自在となるように設定されている。
ここで、各側片１０ｂの外方端側の屋外側コーナー部、つまりケース体固定片９ａ対向部はＲ状の切欠き部１０ｅに形成され、規制体１０の揺動が円滑になされるようになっている。
【００１１】
さらに、規制体１０とケース体９との内方側部位のあいだには、各脚片１０ｂのそれぞれ内側面に沿って配される一対のリンク体１２が介装されている。つまり、各リンク体１２は長板状体に形成され、各端部にそれぞれ第一、第二貫通孔１２ａ、１２ｂがそれぞれ開設されている。そして、各リンク体１２を、上下に位置する各脚片１０ｂの内側面にそれぞれあてがい、第一貫通孔１２ａと各脚片１０ｂの第二取付け孔１０ｄとを連通させ、これら連通する上下の孔１２ａ、１０ｄ同志に、弾性を有した鋼材で形成された半リング状の止めピン（枢支ピン）１３の両先端部をそれぞれ挿通させることにより、規制体１０とリンク体１２とが揺動自在となる状態で連結されている。一方、リンク体１２の第二貫通孔１２ｂは、上下のケース体脚片９ｂの長孔９ｄに連通され、これらの孔１２ｂ、９ｄを挿通する第二枢支ピン１４によりケース体９に連結されている。これによって、リンク体１２は、ケース体９の脚片９ｂに対し揺動自在、かつ、第二貫通孔１２ｂ側部位がケース体長孔９ｄ内を移動自在となるように連結されている。
【００１２】
さらに、ケース体９と規制体１０とのあいだには、第一枢支ピン１１に支持される状態でコイル弾機１１ａが介装されており、規制体１０の内方側部位をケース体９から屋内側に向けて突出させる方向に付勢している。尚、コイル弾機１１ａは、一端部が規制体連結片１０ａに弾圧し、他端部がケース体９を弾圧するように構成されており、前記コイル弾機１１ａの一端部は、止めピン１３の湾曲部を規制体連結片１０ａ側に押し当てて止めピン１３の支持も行うように構成されている。
【００１３】
また、前記第二枢支ピン１４には、上下一対のリンク体１２のあいだに位置して、長板状の作動体１５の長手方向一端部に形成された取付け部１５ａが挿通されており、これによって、作動体１５は第二枢支ピン１４に枢支され、第二リンク体１２の第二貫通孔１２ｂ部位とともに、ケース体９に対してケース体長孔９ｄのストローク分だけ左右方向に移動自在となるように連結されている。
【００１４】
一方、１６は、作動体１５に連結される解錠具であって、該解錠具１６は、施錠具８が配設されたスラット２に配されており、左右の施錠具８の作動体１５に螺子止め等の手段によりそれぞれ連結される一対の連結バー１６ａと、これら連結バー１６ａの左右方向内方端部を連動連結する状態で配される操作摘み１６ｂとを備えて構成されており、該操作摘み１６ｂを回転させる解錠操作に基づいて、各連結バー１６ａ（作動片１５）を左右方向内方に向けて強制変位せしめるように設定されている。
【００１５】
そうして、施錠具８は、規制体１０がコイル弾機１１ａの付勢力を受ける自然状態において、規制体１０の内方側部位が屋内側に向けて突出する施錠姿勢となるように設定されており、このとき、リンク体１２は、規制体１０の内方側部位が屋内側に突出することにより第一貫通孔１２ａ部位が屋内側方向に引っ張られており、第二貫通孔１２ａ部位が第二枢支ピン１３とともにケース体長孔９ｄの外方端に係合しており、該係合により、規制体１０の内方側部位への突出規制がなされるように設定されている。尚、この状態において、リンク体１２は、第一貫通孔１２ａ部位が屋内側、第二貫通孔１２ｂ部位が屋外側に位置する起立姿勢となるように設定されている。
【００１６】
これに対し、解錠具１６の操作摘み１６ｂが解錠操作され、作動体１５がコイル弾機１１ａの付勢力に抗して左右方向内方に強制変位した場合、リンク体１２の第二貫通孔１２ｂ部位は、作動体１５に引っ張られる状態で第二枢支ピン１４とともにケース体長孔９ｄ内を内方端に係合するように移動し、該ケース体長孔９ｄの内方端に係合する状態になると、リンク体１２の第一、第二貫通孔１２ａ、１２ｂが略屋内外方向同位置となるリンク作動をして倒伏姿勢に変位するように設定されている。そして、このリンク体１２の倒伏姿勢では、規制体１０の内方側部位が屋外側、即ちケース体９側に引っ張られ、規制体１０がケース体９内に没入する（内嵌する）解錠姿勢となるように設定されている。
【００１７】
つぎに、このように構成された前記施錠具８と係止具７とを備えた自動施錠装置Ｒにおいて、自動施錠装置Ｒの施錠−解錠の操作手順について説明する。
シャッターカーテン１は、下端部から垂下するように設けられた操作紐１ｂ等の操作により押し下げることで閉鎖作動が開始され、シャッターカーテン１の閉鎖（下降）に伴い施錠具８も一体に下降する。このとき、解錠具１６による操作はなされておらず、施錠具８はコイル弾機１１ａの付勢力を受ける自然状態となっており、規制体１０は、内方側部位が屋内側に突出する施錠姿勢となっている。このとき、規制体１０のケース体９からの突出は、前述したように、ケース体長孔９ｄにより移動規制を受けるリンク体１２によって規制されている。このため、リンク体１２のリンク長と、ケース体長孔９ｄの孔長とは、施錠具８が取付けられている部位のスラット２の屋内外方向板厚Ｌが、ガイドレール５のガイド溝５ａの溝幅（屋内外側片部５ｂ、５ｃの対向間隔）Ｌ１より小さく、開口における幅（ガイド片５ｅ、５ｆの対向間隔）Ｌ２より大きく（Ｌ１＞Ｌ＞Ｌ２）なる関係が成立するよう、それぞれ寸法設定がなされている。これによって、施錠具８は、規制体１０が施錠姿勢を維持する状態でガイドレール５内を移動するとき、規制体１０がガイドレール５を押圧して擦ってしまうような不具合がないように設定されている。
【００１８】
そして、施錠姿勢となっている施錠具８の規制体１０が係止具７の上側に位置するガイド片部７ｄに対向すると、規制体１０は、屋外側に向けて次第に突出するガイド片部７ｄにより、コイル弾機１１ａの付勢力に抗してケース体９に没入する方向（解除姿勢となる側）に押圧されながら下降を続け、規制体１０の内方側部位が係止具７の上側の段差片部７ｂを乗り越えることで、規制体１０は、ガイド片部７ｄによる押圧が解除される状態で施錠姿勢に復帰し、これによって、図４（Ａ）に示すように、係止具凹部７ａに施錠姿勢の規制体１０が嵌入し、規制体１０に対して段差片部７ｂ、７ｃによる上下方向への係止がなされ、もって、シャッターカーテン１のガイドレール５（躯体側）への施錠がなされるように設定されている。
【００１９】
ここで、シャッターカーテン１は下端部に位置する座板１ａが床面に当接することで開口部の閉鎖がなされるが、シャッターカーテン１は、各スラット２同志の連結部２ａ、２ｂを介してインターロック結合することで構成されており、インターロック結合部に弛み（隙間）が設けられている。このため、シャッターカーテン１は、座板１ａが床面に当接した後に繰り出されるシャッターカーテン１により、床面側からの負荷を受ける状態でこれらの弛みが下側から順次埋められるように構成されている。そして、本実施の形態のシャッター装置では、施錠具８が設けられているスラット２よりも下方に位置するスラット２間の隙間が順次埋められることにタイミングを合せて、施錠具８と係止具７との係合がなされる位置関係となるように、係止具７と施錠具８とが配設されている。これによって、施錠がなされている状態において、シャッターカーテン１の下端部を持ち上げようとしても、シャッターカーテン１は弛みの全くない状態となっているため持ち上げることができず、もって、防犯性を高めることができるようになっている。
【００２０】
一方、前記施錠状態から解錠し、そして、シャッターカーテン１を開放（上動）する場合では、解錠具１６の操作摘み１６ｂを解錠操作することにより、連結バー１６ａを介して作動体１５がコイル弾機１１ａの付勢力に抗して左右方向内方に変位し、これによって、前述したように、リンク体１２を倒伏姿勢にすることに伴い規制体１０がケース体９内に没入して解錠姿勢となって、図４（Ｂ）に示すように、係止具７の段差片部７ｂとの係止が解除されるように設定されている。この状態で、シャッターカーテン１を開放作動することで、シャッターカーテン１はバランス弾機の付勢力を受ける状態で軽快な開放作動がなされるように設定されている。
このとき、本実施の形態のシャッター装置において、前記巻取りドラム４に介装されているバランス弾機は、前述したように上り勝手になるように設定されている。このため、施錠状態のシャッターカーテン１は施錠されることで上動が規制される状態となっており、前記解錠具１６の操作摘み１６ｂを操作することに伴い、施錠具８の規制体１０が解錠姿勢になると同時に、シャッターカーテン１はバランス弾機の付勢力を受けて上動を開始するように設定されている。このため、解錠具１６の操作は、施錠具８の規制体１０が上側段差片部７ｂを乗り越えるあいだだけ操作すればよいことになって、操作摘み１６ｂの操作時間を短縮することができて、解錠操作が容易になるようになっている。
【００２１】
また、本実施の形態の施錠具８は、シャッターカーテン１がガイドレール５から抜け出すのを防止する抜止部材としても機能するように設定されている。
つまり、施錠具８の規制体１０は、施錠姿勢において内方側部位、即ち、ガイドレールガイド溝５ａの開口側部位が屋内側に向けて突出する構成となっている。しかも、規制体１０の突出量は、前述したように、施錠具８が取付けられている部位のスラット２の屋内外方向板厚Ｌは、ガイドレール５のガイド溝５ａの溝幅（屋内外側片部５ｂ、５ｃの対向間隔）Ｌ１より小さく、溝開口における幅（ガイド片５ｅ、５ｆの対向間隔）Ｌ２より大きく（Ｌ１＞Ｌ＞Ｌ２）なる関係となっていて、シャッターカーテン１が前後に偏るようなことがあっても、施錠姿勢の規制体１０がガイド溝５ａの開口に引っかかって抜止めがなされるようになっている。さらに、このものでは、シャッターカーテン１に負圧が作用して屋外側に撓んだような場合、また、シャッターカーテン１に屋外側から強風が吹きつける等して屋内側に撓んだような場合においても、図９（Ａ）、（Ｂ）に示すように、施錠姿勢の規制体１０が、屋内側の側片部５ｂから屋外側に突出するガイド片５ｅに係合することにより抜止めされるように設定されており、このようにして施錠具８によるシャッターカーテン１のガイドレール５からの抜止めがなされるように設定されている。
【００２２】
叙述の如く構成された本発明の実施の形態において、引き戸式のガラス戸６の屋外側に設けられた手動式のシャッター装置は、ガラス戸６を開放してシャッターカーテン１の下端部を引き下ろすことで開口部を閉鎖作動するが、この場合に、シャッターカーテン１の全閉姿勢にタイミングを合せて、シャッターカーテン１の中間部位置のスラット２の左右に配された施錠具８は、施錠姿勢の規制体１０が、ガイドレール５にそれぞれ設けられた係止具７の段差片部７ｂにより、コイル弾機１１ａの付勢力に抗して解錠姿勢に変姿しながら係止具凹部７ａに係止して施錠状態となり、シャッターカーテン１は、左右両端部二箇所において躯体側に固定される。そして、施錠状態のシャッターカーテン１は、解錠具１６の操作摘み１６ｂを操作して、作動体１５を左右方向内側に向けて変位させることにより、施錠具８の規制体１０がケース体９に没入する解錠姿勢となって、係止具７との係合が解除される。そして、この場合に、施錠具８は、施錠姿勢の規制体１０が係止具７のガイド面７ｄを乗り越えることで係止する構成となっているので、ガイドレール５を移動する過程で、規制体１０がガイドレール５の屋内外側片部５ｂ、５ｃを擦ってしまうような不具合がない。
さらに、屋内外方向に揺動する規制体１０を係止具７に係止させる構成でありながら、作動体１５は、左右方向に変位させることにより規制体１０を解除姿勢に変姿させる構成であるため、従来のもののように、規制体を解錠姿勢にするための操作具を、スラットに対して枢支する必要がなくなり、単に作動体１５に連結される連結バー１６ａをスラット２の本体部２ｃに沿って左右方向移動自在に設けるとともに、これら連結バー１６ａを左右方向内方に変位せしめる操作摘み１６ｂを設ければよいことになって、施錠具８が配されるスラット２を特別な形状にする必要がなくなる。この結果、作業性が向上するばかりでなく、コスト低下にも寄与できる。
【００２３】
さらに、本発明が実施されたものにおいては、施錠具８は、スラット２の本体部２ｃの左右側部の屋内側面に設けられ、スラット２の左右端部からガイドレール５の溝底片部５ｄ側にはみ出すことがないので、ガイドレール５のガイド溝５ａの溝深さを、従来のもののように、施錠具を配設するためにわざわざ深くするような必要がなく、シャッターカーテン１の嵌合深さを考慮してガイド溝５ａの溝深さ寸法を設定することができる。
【００２４】
また、このものでは、施錠具８が取付けられた部位における屋内外方向の厚さ（板厚）Ｌは、ガイドレール５のガイド溝５ａの溝幅（屋内外側片部５ｂ、５ｃの対向間隔）Ｌ１より小さく、溝開口における幅（ガイド片５ｅ、５ｆの対向間隔）Ｌ２より大きく（Ｌ１＞Ｌ＞Ｌ２）設定されていて抜止め部材を兼用しているが、この場合に、規制体１０は、開口部の内方側部位が屋外側に突出することで施錠姿勢となっており、規制体１０の内方側部位がガイドレールのガイド片５ｅ、５ｆに係合することで抜止めされる構成となっているので、抜止めの強度を確保しやすいうえ、該部位における抜止めを、該部位がガイドレール５を変位する全過程において行うことができる。
【００２５】
さらに、このものでは、シャッターカーテン１は座板１ａが床面に当接し、スラット２同志の隙間が下方部位から順次塞がって、施錠具８が取付けられるスラット２よりも下方の隙間がなくなった状態で係止具７と施錠具８との施錠がなされるので、施錠状態において、シャッターカーテン１の下方に弛みがなくなって、防犯性に優れたものにすることができる。
【００２６】
また、シャッターカーテン１の上下方向中間部位において係止具７と施錠具８との自動施錠がなされる構成となっており、解錠具１６は該中間部位に設けられている。このため、解錠具１６の操作をするためにわざわざ屈んだりする必要がなくなって、容易に操作できる。しかも、シャッターカーテン１はバランス弾機により上り勝手に設定されているため、解錠操作と同時にシャッターカーテン１が上動を開始するため、解錠操作の時間が短くても確実に解錠操作ができて、操作性に優れたものにできる。
【図面の簡単な説明】
【図１】シャッター装置の概略正面図である。
【図２】窓部における下部および上部を断面し、シャッター装置の取付け状態を説明する横断面図である。
【図３】図３（Ａ）、（Ｂ）はそれぞれ要部の側面図、横断面図である。
【図４】図４（Ａ）、（Ｂ）はそれぞれ自動施錠装置の施錠状態、解錠状態を説明するパターン図である。
【図５】図５（Ａ）、（Ｂ）はそれぞれ係止具の側面図、正面図である。
【図６】図６（Ａ）、（Ｂ）、（Ｃ）はそれぞれ施錠具の側面図、正面図、背面図である。
【図７】図７（Ａ）、（Ｂ）はそれぞれ施錠具規制体の施錠姿勢、解錠姿勢を説明する平面図である。
【図８】図８（Ａ）、（Ｂ）はそれぞれ施錠具の分解斜視図、組み立て状態を示す斜視図である。
【図９】図９（Ａ）、（Ｂ）はそれぞれ自動施錠装置による抜止め状態を説明するパターン図である。
【符号の説明】
１　　シャッターカーテン
２　　スラット
５　　ガイドレール
５ｂ　　屋内側の側片部
７　　係止具
７ａ　　凹部
７ｂ　　上側段差片部
８　　施錠具
９　　ケース体
９ｄ　　長孔
１０　　規制体
１１　　第一枢支ピン
１１ａ　　コイル弾機
１２　　リンク体
１３　　止めピン
１４　　第二枢支ピン
１５　　作動体
１６　　解錠具
【図１】
2004068541.tif 000003
【図２】
2004068541.tif 000004
【図３】
2004068541.tif 000005
【図４】
2004068541.tif 000006
【図５】
2004068541.tif 000007
【図６】
2004068541.tif 000008
【図７】
2004068541.tif 000009
【図８】
2004068541.tif 000010
【図９】
2004068541.tif 000011